(57)【特許請求の範囲】
【請求項１】
バッテリモジュールを収容するためのバッテリケースであって、
上下に開口部を有する四角柱筒状の第１筐体と、前記第１筐体の上部開口部を閉塞する第１天板と、前記第１筐体の下部開口部を閉塞する第１底板とを含む下部ケースと、
上下に開口部を有する四角柱筒状の第２筐体と、前記第２筐体の上部開口部を閉塞する第２天板と、前記第２筐体の下部開口部を閉塞する第２底板とを含む上部ケースと、
前記下部ケースの前記第１天板と前記上部ケースの前記第２底板を連結する連結部材と、を備え、
前記第１筐体及び前記第２筐体はいずれも、一枚の長方形板状部材の互いに平行な二辺を付き合わせて固定した構造を有し、
前記連結部材は、前記下部ケースの前記第１天板と前記上部ケースの前記第２底板の間に空間が形成されるよう、両者を連結することを特徴とするバッテリケース。
【請求項２】
前記連結部材は、前記第１天板及び前記第２底板の第１の辺と、前記第１天板及び前記第２底板の前記第１の辺と平行な第２の辺に設けられることを特徴とする請求項１に記載のバッテリケース。
【請求項３】
前記第１及び第２の辺は短辺であることを特徴とする請求項２に記載のバッテリケース。
【請求項４】
前記第２底板は、前記第１及び第２の辺から前記第１天板に向かって積層方向に突出する突出部と、前記突出部の先端を前記第１天板と平行な方向に折り返した折り返し部とを有し、
前記連結部材は、前記第１天板と前記折り返し部の間に位置する水平部と、前記水平部に対して垂直な垂直部とを有するＬ字型構造を有し、
前記第１天板と前記連結部材は、前記折り返し部と前記水平部を連結することにより互いに固定され、
前記第２底板と前記連結部材は、前記突出部と前記垂直部を連結することにより互いに固定されることを特徴とする請求項２又は３に記載のバッテリケース。
【請求項５】
前記第１及び第２筐体の背面又は側面を覆う電線管カバーをさらに備え、
前記下部ケースは、前記第１筐体の前記背面又は側面に設けられ、電線管を通すための第１貫通保護部材を有し、
前記上部ケースは、前記第２筐体の前記背面又は側面に設けられ、前記電線管を通すための第２貫通保護部材を有し、
前記電線管カバーは、前記第１貫通保護部材及び前記第２貫通保護部材を覆うことを特徴とする請求項１〜４のいずれか一項に記載のバッテリケース。
【請求項６】
前記第１及び第２貫通保護部材は、グロメットであることを特徴とする請求項５に記載のバッテリケース。
【請求項７】
前記第１及び第２貫通保護部材は、ＰＦ管コネクタであることを特徴とする請求項５に記載のバッテリケース。
【請求項８】
前記第１及び第２貫通保護部材は、ケーブルグランドであることを特徴とする請求項５に記載のバッテリケース。
【請求項９】
前記第１貫通保護部材と前記第２貫通保護部材を接続する結合管をさらに備え、前記結合管の内部に電線管を通すことを特徴とする請求項５〜８のいずれか一項に記載のバッテリケース。
【請求項１０】
前記下部ケースは、前記第１貫通保護部材を囲む筒状の第１カバー部材をさらに有し、
前記上部ケースは、前記第２貫通保護部材を囲む筒状の第２カバー部材をさらに有することを特徴とする請求項５〜９のいずれか一項に記載のバッテリケース。
【請求項１１】
前記電線管カバーは、前記第１及び第２カバー部材の開口部を閉塞することを特徴とする請求項１０に記載のバッテリケース。
【請求項１２】
請求項１〜１１のいずれか一項に記載のバッテリケースと、前記下部ケースに収容されたバッテリモジュールと、前記上部ケースに収容された制御ボックスとを備える蓄電池システム。
【発明の詳細な説明】
【技術分野】
【０００１】
本発明はバッテリケースに関し、特に、各種モジュールを収容する下部ケースと上部ケースが積み重ねられた構造を有するバッテリケースに関する。また、本発明は、このようなバッテリケースを用いた蓄電池システムに関する。
【背景技術】
【０００２】
特許文献１及び２に示すように、蓄電池システムは、バッテリモジュールや制御ボックスなどの各種モジュールがバッテリケースに収容された構成を有している。しかしながら、大型の蓄電池システムには多くのモジュールが含まれることから、全てのモジュールを単一のバッテリケースに収容すると、全体の重量が重くなりすぎ、運搬や設置作業が困難となる。このため、大型の蓄電池システムにおいては、複数のバッテリケースを用い、これら複数のバッテリケースを積み重ねて使用する方法が考えられる。
【先行技術文献】
【特許文献】
【０００３】
【特許文献１】特開２０１３−１０５７２３号公報
【特許文献２】特開２０１５−２２５７０３号公報
【発明の概要】
【発明が解決しようとする課題】
【０００４】
しかしながら、特許文献１及び２に記載されているように、一般的なバッテリケースは、正面、背面、両側面、天面及び底面からなる６面がそれぞれ異なるパーツからなり、これらを組み合わせることによってバッテリケースが形成されることから、防水性の確保が問題になるとともに、積み重ねた場合の強度が不足するおそれがあった。また、積み重ねられたバッテリケース間における熱の伝導により、蓄電池システム全体が高熱になるおそれもあった。
【０００５】
本発明は、上記課題に鑑みてなされたものであり、その目的は、複数のケースが積み重ねられた構造を有する改良されたバッテリケース及びこれを用いた蓄電池システムを提供することである。
【課題を解決するための手段】
【０００６】
本発明によるバッテリケースは、バッテリモジュールを収容するためのバッテリケースであって、上下に開口部を有する四角柱筒状の第１筐体、第１筐体の上部開口部を閉塞する第１天板及び第１筐体の下部開口部を閉塞する第１底板を含む下部ケースと、上下に開口部を有する四角柱筒状の第２筐体、第２筐体の上部開口部を閉塞する第２天板及び第２筐体の下部開口部を閉塞する第２底板を含む上部ケースと、下部ケースの第１天板と上部ケースの第２底板を連結する連結部材とを備え、第１筐体及び第２筐体はいずれも、一枚の長方形板状部材の互いに平行な二辺を付き合わせて固定した構造を有し、連結部材は、下部ケースの第１天板と上部ケースの第２底板の間に空間が形成されるよう、両者を連結することを特徴とする。また、本発明による蓄電池システムは、上記のバッテリケースと、下部ケースに収容されたバッテリモジュールと、上部ケースに収容された制御ボックスとを備える。
【０００７】
本発明によれば、下部ケース及び上部ケースの筐体がいずれも一枚の長方形板状部材を筒状に成形した構造を有していることから、つなぎ目が少なく、高い防水性を得ることが可能となる。しかも、このような筒状構造を有する筐体は、上下方向への機械的強度が高いことから、積み重ねた場合の強度が不足することもない。しかも、下部ケースの第１天板と上部ケースの第２底板の間に空間が形成されるよう連結されることから、下部ケースと上部ケースの間における熱伝導も生じにくい。
【０００８】
本発明において、連結部材は、第１天板及び第２底板の第１の辺と、第１天板及び第２底板の第１の辺と平行な第２の辺に設けられていても構わない。これによれば、第１天板と第２底板の間に形成される空間は、第１及び第２の辺と直交する第３及び第４の辺において開口することから、空気の流通が促進される。この場合、第１及び第２の辺は短辺であっても構わない。これによれば、第１天板と第２底板の間に形成される空間に長辺側から空気が流通することから、放熱効果が高められる。
【０００９】
本発明において、第２底板は、第１及び第２の辺から第１天板に向かって積層方向に突出する突出部と、突出部の先端を第１天板と平行な方向に折り返した折り返し部とを有し、連結部材は、第１天板と折り返し部の間に位置する水平部と、水平部に対して垂直な垂直部とを有するＬ字型構造を有し、第１天板と連結部材は、折り返し部と水平部を連結することにより互いに固定され、第２底板と連結部材は、突出部と垂直部を連結することにより互いに固定されていても構わない。これによれば、下部ケースと上部ケースを強固に連結することが可能となる。
【００１０】
本発明によるバッテリケースは、第１及び第２筐体の背面又は側面を覆う電線管カバーをさらに備え、下部ケースは、第１筐体の背面又は側面に設けられ、電線管を通すための第１貫通保護部材を有し、上部ケースは、第２筐体の背面又は側面に設けられ、電線管を通すための第２貫通保護部材を有し、電線管カバーは、電線管、第１貫通保護部材及び第２貫通保護部材を覆うものであっても構わない。これによれば、下部ケースと上部ケースを積み重ねた後に、両者を配線によって接続することができ、施工性が向上する。この場合、下部ケースは記第１貫通保護部材を囲む筒状の第１カバー部材をさらに有し、上部ケースは第２貫通保護部材を囲む筒状の第２カバー部材をさらに有し、電線管カバーは、第１及び第２カバー部材の開口部を閉塞するものであっても構わない。これによれば、より高い防水性を得ることが可能となる。貫通保護部材としては、グロメット、ＰＦ管コネクタ、ケーブルグランド等を用いることができる。また、第１貫通保護部材と第２貫通保護部材を接続する結合管を設けて、結合管の内部に電線管を通しても構わない。
【発明の効果】
【００１１】
このように、本発明によれば、下部ケースと上部ケースが積み重ねられた構造を有するバッテリケース及びこれを用いた蓄電池システムにおいて、防水性、機械的強度及び信頼性を確保することが可能となる。
【図面の簡単な説明】
【００１２】
【図１】図１は、本発明の第１の実施形態による蓄電池システム１の外観を示す略斜視図である。
【図２】図２は、蓄電池システム１の外観を示す略斜視図である。
【図３】図３は、蓄電池システム１の略透視斜視図である。
【図４】図４は、蓄電池システム１の略透視斜視図である。
【図５Ａ】図５Ａは、蓄電池システム１に電線管カバー５０を装着した状態を示す略透視側面図である。
【図５Ｂ】図５Ｂは、蓄電池システム１に電線管カバー５０を装着した状態の変形例を示す略透視斜視図である。
【図６】図６は、下部ケース１０に上部ケース２０を積層する前の状態を示す略透視斜視図である。
【図７】図７は、連結部材６０による下部ケース１０と上部ケース２０の連結方法を説明するための略斜視図である。
【図８】図８は、連結部材６０による下部ケース１０と上部ケース２０の連結方法を説明するための略断面図である。
【図９】図９は、バッテリモジュールＢ１，Ｂ２を下部ケース１０に固定する方法を説明するためのＹ方向から見た略透視正面図である。
【図１０】図１０は、バッテリモジュールＢ１，Ｂ２を下部ケース１０に固定する方法を説明するためのＸ方向から見た略透視側面図である。
【図１１】図１１は、本発明の第２の実施形態による蓄電池システムにおいて、下部ケース１０に上部ケース２０を積層する前の状態を示す略透視斜視図である。
【図１２】図１２は、開口部１２ａの周辺の構造の第１の例を説明するための略断面図である。
【図１３】図１３は、開口部１２ａの周辺の構造の第２の例を説明するための略断面図である。
【発明を実施するための形態】
【００１３】
以下、添付図面を参照しながら、本発明の好ましい実施形態について詳細に説明する。
【００１４】
＜第１の実施形態＞
図１及び図２は本発明の第１の実施形態による蓄電池システム１の外観を示す略斜視図である。また、図３及び図４は蓄電池システム１の略透視斜視図であり、図５Ａは蓄電池システム１に電線管カバー５０を装着した状態を示す略透視側面図である。
【００１５】
図１〜図５Ａに示すように、本発明の第１の実施形態による蓄電池システム１は、下部ケース１０及び上部ケース２０からなるバッテリケースと、下部ケース１０に収容されたバッテリモジュールＢ１，Ｂ２と、上部ケース２０に収容されたバッテリモジュールＢ３、制御ボックスＨ及びコンバータ回路Ｄとを有している。下部ケース１０に２つのバッテリモジュールＢ１，Ｂ２を収容しているのは、バッテリモジュールＢ１，Ｂ２の重量が大きいからであり、上部ケース２０に制御ボックスＨ及びコンバータ回路Ｄを収容しているのは、制御ボックスＨ及びコンバータ回路Ｄの発熱が大きいからである。下部ケース１０は、土台に固定するための固定金具１４を有している。上部ケース２０は下部ケース１０に積み重ねられるとともに、２つの連結部材６０を用いて下部ケース１０に固定されている。図３に示すように、バッテリモジュールＢ１〜Ｂ３はＸ方向にオフセットして収容されており、これにより下部ケース１０及び上部ケース２０の内部には、スペースＳが形成される。スペースＳは、後述する作業スペースとして用いられるとともに、動力線や信号線などのケーブルを通す収容スペースとしても用いられる。
【００１６】
下部ケース１０は、上下（Ｚ方向）に開口部を有する四角柱筒状の第１筐体１１と、第１筐体１１の上部開口部を閉塞する第１天板１２と、第１筐体１１の下部開口部を閉塞する第１底板１３とを含む。同様に、上部ケース２０は、上下（Ｚ方向）に開口部を有する四角柱筒状の第２筐体２１と、第２筐体２１の上部開口部を閉塞する第２天板２２と、第２筐体２１の下部開口部を閉塞する第２底板２３とを含む。第１筐体１１及び第２筐体２１はいずれも、一枚の長方形板状部材、例えばカラー鋼板と呼ばれる先塗装材が折り曲げ加工された部材であり、長方形板状部材の互いに平行な二辺を付き合わせて固定した構造を有し、Ｚ方向に延在する巻締め部１１ａ，２１ａにおいて巻締め加工されることにより、全体として上下に開口部を有し内部空洞で四面を有する四角柱筒状を有している。
【００１７】
このように、本実施形態によるバッテリケースは、一枚の金属板が筒状に折り曲げ加工されてなる第１筐体１１及び第２筐体２１を用いていることから、巻締め部１１ａ，２１ａ以外につなぎ目が存在せず、高い防水性を得ることが可能となる。しかも、一枚の金属板が筒状に加工されていることから、比較的厚みの薄い金属板を用いた場合であっても、Ｚ方向における十分な機械的強度を得ることが可能となる。ここで、第１筐体１１及び第２筐体２１の四面は、ＸＺ面を構成する正面及び背面と、ＹＺ面を構成する両側面からなる。ＸＺ面を構成する正面及び背面は、ＹＺ面を構成する両側面よりも面積が大きい。つまり、Ｘ方向が長辺、Ｙ方向が短辺である。
【００１８】
３つのバッテリモジュールＢ１〜Ｂ３は、制御ボックスＨを介してコンバータ回路Ｄに接続されている。コンバータ回路Ｄは、直流電圧を一定に保つためのＤＣＤＣコンバータであり、動作によって大きな熱を発生させる。コンバータ回路Ｄが発生する熱は、上部ケース２０の背面に設けられたヒートシンク４１によって放熱される。また、上部ケース２０の内部においては、コンバータ回路Ｄを熱分離壁４２で覆うことにより、バッテリモジュールＢ３や制御ボックスＨへの熱伝導が抑制される。
【００１９】
図５Ａに示すように、下部ケース１０を構成する第１筐体１１の背面には、電線管５１を通すための貫通保護部材３１が設けられている。また、上部ケース２０を構成する第２筐体２１の背面には、電線管５１〜５３を通すための貫通保護部材３２〜３４が設けられている。貫通保持部材３１〜３５は、第１筐体１１又は第２筐体２１の開孔の縁が電線管５１と接触するのを防止する目的で開孔に嵌め込む部材であり、図５Ａに示す例ではグロメットを用いている。電線管５１の内部には、バッテリモジュールＢ１，Ｂ２と制御ボックスＨを接続する動力線及び信号線が収容される。また、電線管５２，５３の内部には、コンバータ回路Ｄと外部のパワーコンディショナーを接続する動力線及び信号線がそれぞれ収容される。これら貫通保護部材３１〜３４及び電線管５１〜５３は、第１及び第２筐体１１，２１の背面に設けられた電線管カバー５０によって覆われる。これにより、下部ケース１０と上部ケース２０を積み重ねた後に、両者を配線によって接続することができ、施工性が向上する。また、電線管カバー５０によって簡易的に防水されることから、信頼性や耐久性が向上するだけでなく、デザイン性も高められる。また、貫通保護部材３１と３２を接続する結合管３７を設け、結合管３７の内部に電線管５１を通すことによって電線管５１を保護しても構わない。
【００２０】
或いは、変形例である図５Ｂに示すように、第１筐体１１の側面及び第２筐体２１の側面にそれぞれ貫通保護部材３５，３６を設けるとともに、貫通保護部材３５，３６をそれぞれ囲む筒状のカバー部材５４，５５を用いても構わない。図５Ｂに示す例では、貫通保護部材３５，３６としてグロメットを用いている。カバー部材５４，５５はＸ方向の両側に開口する筒状体であり、ＸＹ壁面とＸＺ壁面を有している。カバー部材５４，５５の一方の開口部は、それぞれ第１筐体１１の側面及び第２筐体２１の側面によって閉塞される。そして、カバー部材５４，５５の壁面に設けたガイド又は貫通孔に電線管５１を通し、これによってバッテリモジュールＢ１，Ｂ２と制御ボックスＨを接続しても構わない。電線管カバー５０を下部ケース１０及び上部ケース２０に装着すると、カバー部材５４，５５の他方の開口部が電線管カバー５０によって閉塞され、防水性が高められる。なお、貫通保護部材３１〜３６としてグロメットを用いることは必須でなく、ＰＦ管コネクタやケーブルグランド等を用いても構わない。
【００２１】
図６は、下部ケース１０に上部ケース２０を積層する前の状態を示す略透視斜視図である。
【００２２】
図６に示すように、下部ケース１０を構成する第１天板１２には、Ｙ方向に延在する両短辺に連結部材６０が固定されている。連結部材６０は、ＸＺ断面がＬ字型構造を有する金属部品であり、図７及び図８に示すように、ＸＹ面を有する水平部６１と、ＹＺ面を有する垂直部６２を有している。ここで、第２底板２３は、Ｙ方向に延在する短辺から第１天板１２に向かってＺ方向に突出する突出部２３ａと、突出部２３ａの先端をＸ方向における内側に折り返した折り返し部２３ｂとを有しており、一対の連結部材６０の内側に突出部２３ａ及び折り返し部２３ｂを嵌合させることにより、上部ケース２０が位置決めされる。これにより、連結部材６０の水平部６１は、第１天板１２と折り返し部２３ｂの間に位置し、連結部材６０の垂直部６２は、突出部２３ａとＸ方向に重なる。そして、第１天板１２と連結部材６０は、第１天板１２と水平部６１をネジ６４によって連結することにより互いに固定され、第２底板２３と連結部材６０は、突出部２３ａと垂直部６２をネジ６３によって連結することにより互いに固定される。また、第１天板１２と水平部６１は、ネジ６４に代えて或いはネジ６４に加えて、防水両面テープ６５によって固定しても構わない。
【００２３】
かかる構成により、下部ケース１０と上部ケース２０を容易に固定することができるため、バッテリモジュールＢ１，Ｂ２が収容された下部ケース１０と、バッテリモジュールＢ３、制御ボックスＨ及びコンバータ回路Ｄが収容された上部ケース２０を用意し、両者を積み重ねることによって、蓄電池システム１を設置することが可能となる。しかも、連結部材６０を用いて下部ケース１０と上部ケース２０を連結すると、第１天板１２と第２底板２３の間には、垂直部６２の高さに相当する空間が形成される。このため、主にコンバータ回路Ｄから発生する熱が下部ケース１０に伝達にしにくくなるとともに、Ｘ方向に延在する長辺側から空気が流通することから、放熱効果が高められる。
【００２４】
図９及び図１０は、バッテリモジュールＢ１，Ｂ２を下部ケース１０に固定する方法を説明するための図であり、図９はＹ方向から見た略透視正面図、図１０はＸ方向から見た略透視側面図である。
【００２５】
図９に示すように、下部ケース１０を構成する第１底面１３には、金属などからなる固定部品７１，７２が固定されている。固定部品７１は、ＸＺ断面がＬ字型構造を有し、Ｙ方向に延在している。固定部品７１は、Ｙ方向から見てＺ方向に延在する垂直部の一方の端部（下端）が第１底面１３に固定され、垂直部の他方の端部（上端）からＸ方向に延在する水平部は、バッテリモジュールＢ１，Ｂ２に向かって突出している。固定部品７２は、Ｙ方向に延在する板状体であり、スペースＳに配置されている。固定部品７２は、ＸＹ面が第１底面１３に固定されている。
【００２６】
一方、バッテリモジュールＢ１，Ｂ２の一方のＹＺ側面Ｓ３の下部には、金属などからなる固定部品８１，８２が固定されている。固定部品８１は、ＹＺ側面Ｓ３の下部に固定されており、ＸＺ断面がＬ字型構造を有し、Ｙ方向に延在している。固定部品８１は、Ｚ方向に延在する垂直部のＹＺ面がバッテリモジュールＢ１，Ｂ２のＹＺ側面Ｓ３に固定され、垂直部の端部から第１筐体１１の一方の側面Ｓ１に向かってＸ方向に突出する水平部が固定部品７１と嵌合する。固定部品８２は、バッテリモジュールＢ１，Ｂ２の他方のＹＺ側面Ｓ４の下部に固定されており、ＸＺ断面がＬ字型を有し、Ｙ方向に延在している。固定部品８２は、ＹＺ面がバッテリモジュールＢ１，Ｂ２のＹＺ側面Ｓ４に固定され、Ｘ方向に突出する部分が固定部品７２にネジ止めされ、これにより第１底面１３に固定される。固定部品８２のネジ止めは、固定部品７２及び第１底面１３の両方に対して行うことにより、固定部品８２と第１底面１３を直接的に固定しても構わないし、固定部品７２に対して行うことにより、固定部品８２と第１底面１３を間接的に固定しても構わない。
【００２７】
そして、下部ケース１０の内部にバッテリモジュールＢ１，Ｂ２を収容する際には、バッテリモジュールＢ１，Ｂ２の一方のＹＺ側面Ｓ３が第１筐体１１の一方のＹＺ側面Ｓ１と向かい合い、バッテリモジュールＢ１，Ｂ２の他方のＹＺ側面Ｓ４が第１筐体１１の他方のＹＺ側面Ｓ２と向かい合うよう収容した後、バッテリモジュールＢ１，Ｂ２をＸ方向にスライドさせる。これにより、第１底面１３と固定部品７１の水平部の間に固定部品８１の水平部が挿入され、Ｌ字型の固定部品８１がＬ字型の固定部品７１に嵌合する。その後、スペースＳに電動工具９０を入れて固定部品７２，８２をネジ止めする。これにより、バッテリモジュールＢ１，Ｂ２は、下部ケース１０の内部に確実に固定される。このように、バッテリモジュールＢ１，Ｂ２の一方のＹＺ側面については、ネジ止めを行うことなく固定部品７１，８１の嵌合により位置決めし、バッテリモジュールＢ１，Ｂ２の他方のＹＺ側面については、ネジ止めによって固定を行っていることから、電動工具９０を用いた片側からの作業によってバッテリモジュールＢ１，Ｂ２の固定が完了する。このため、第１筐体１１のＹＺ側面Ｓ１とバッテリモジュールＢ１，Ｂ２の側面Ｓ３のＸ方向における距離Ｗ１を、第１筐体１１のＹＺ側面Ｓ２とバッテリモジュールＢ１，Ｂ２の側面Ｓ４のＸ方向における距離Ｗ２よりも十分に狭くすることができ、小型化が図られる。上部ケース２０におけるバッテリモジュールＢ３の固定についても同様に行うことができる。
【００２８】
このように、本実施形態においては、バッテリモジュールＢ１〜Ｂ３の収容位置をオフセットさせることにより形成されるスペースＳを利用してバッテリモジュールＢ１〜Ｂ３の固定作業を行うことが可能である。また、メンテナンス時や交換時においても、固定部品７２，８２のネジ止めを外すことにより、バッテリモジュールＢ１〜Ｂ３を容易に取り外すことが可能である。
【００２９】
＜第２の実施形態＞
図１１は、本発明の第２の実施形態による蓄電池システムにおいて、下部ケース１０に上部ケース２０を積層する前の状態を示す略透視斜視図である。
【００３０】
図１１に示すように、第２の実施形態においては、下部ケース１０を構成する第１天板１２に開口部１２ａが設けられている。開口部１２ａは、動力線及び信号線などのケーブルを通すための穴であり、スペースＳと重なる位置に設けられている。このため、本実施形態においては、図２等に示す貫通保護部材３１は不要である。
【００３１】
図１２は、開口部１２ａの周辺の構造の第１の例を説明するための略断面図である。
【００３２】
図１２に示す第１の例では、上部ケース２０の第２底板２３に開口部２３ｃが設けられており、開口部２３ｃの周囲は、絞り加工等により下部ケース１０に向かって第２底板２３を変形させた筒状の突出部２４ｄを構成する。筒状部材である突出部２４ｄは、第１天板１２と第２底板２３の間に位置し、Ｚ方向から見て開口部１２ａ，２３ｃを取り囲む。また、第１天板１２と第２底板２３の間には、開口部１２ａ，２３ｃと重なる位置に成形品１００が配置される。成形品１００は樹脂や金属などからなり、防水両面テープ１０３などを用いて第１天板１２の外面に接着される平板部１０１と、筒状の突出部１０２を有している。突出部１０２は、先端ほど径が縮小する形状を有しており、筒状の突出部２３ｄに挿入される。突出部２３ｄの先端と成形品１００の平板部１０１の間には、防水性を確保するためのクッション部材１１０が設けられる。
【００３３】
このような構成により、下部ケース１０内のバッテリモジュールＢ１，Ｂ２に接続されたケーブル１２０は、開口部１２ａ，２３ｃを介して上部ケース２０内に引き出すことができる。つまり、下部ケース１０と上部ケース２０を積み重ねる前に、下部ケース１０内のケーブル１２０を開口部１２ａから引き出すとともに、成形品１００及びクッション部材１１０を装着し、この状態で下部ケース１０の第１天板１２と上部ケース２０の第２底板２３が向かい合うよう、下部ケース１０に上部ケース２０を積み重ねる。これにより、ケーブル１２０の先端に設けられたコネクタ１３０は、上部ケース２０のスペースＳ内に露出するため、コネクタ１３０をハンドリングすることにより、制御ボックスＨに容易に接続することが可能となる。突出部１０２の先端部の径は、ケーブル１２０が下部ケース１０内に落下しないよう、コネクタ１３０の径よりも小さいことが好ましい。
【００３４】
このように、図１２に示す例では、上部ケース２０の第２底板２３に開口部２３ｃを設けるとともに、絞り加工された筒状の突出部２４ｄを設け、突出部２３ｄの先端と成形品１００の間にクッション部材１１０を介在させている。これにより、部品点数を抑えつつ防水性を確保し、且つ、下部ケース１０に収容されたバッテリモジュールＢ１，Ｂ２と上部ケース２０に収容された制御ボックスＨを内部で直接接続することが可能となる。しかも、開口部２３ｃはスペースＳに設けられていることから、作業性も高められる。また、突出部２３ａのＺ方向における高さなどに応じて成形品１００の形状やサイズを変更することにより、確実に防水を行うことが可能となる。尚、図１２に示す例では、下部ケース１０に向かって第２底板２３を変形させた突出部２４ｄを用い、突出部２３ｄの先端をクッション部材１１０に押し当てることによって防水性を確保しているが、これとは逆に、上部ケース２０に向かって第１天板１２を変形させた筒状部材を用い、筒状部材の先端をクッション部材１１０に押し当てることによって防水性を確保しても構わない。
【００３５】
図１３は、開口部１２ａの周辺の構造の第２の例を説明するための略断面図である。
【００３６】
図１３に示す第２の例では、上部ケース２０の第２底板２３に筒状の突出部２４ｄを設ける代わりに、成形品１５０が追加されている。成形品１５０は樹脂や金属などからなり、防水両面テープ１５３などを用いて第２底板２３の内面に接着される平板部１５１と、筒状部材を構成する突出部１５２を有している。また、成形品１００の代わりに成形品１４０が用いられている。成形品１４０は樹脂や金属などからなり、第１天板１２の外面に接着される平板部１４１と筒状の突出部１４２を有している。突出部１４２は、筒状の突出部１５２に挿入される。突出部１５２の先端と成形品１４０の平板部１４１の間には、防水性を確保するためのクッション部材１１０が設けられる。筒状である突出部１５２の底部はコネクタ１３０の収容部を構成しており、これにより、ケーブル１２０の下部ケース１０内への落下が防止されるとともに、上部ケース２０を下部ケース１０に積み重ねる際に、ケーブル１２０やコネクタ１３０が邪魔になることがない。
【００３７】
このような構成により、上部ケース２０の第２底板２３を絞り加工することなく、図１２に示す第１の例と同様の効果を得ることが可能となる。
【００３８】
以上、本発明の好ましい実施形態について説明したが、本発明は、上記の実施形態に限定されることなく、本発明の主旨を逸脱しない範囲で種々の変更が可能であり、それらも本発明の範囲内に包含されるものであることはいうまでもない。
【００３９】
例えば、上記実施形態では、下部ケース１０に２つのバッテリモジュールＢ１，Ｂ２を収容し、上部ケース２０にバッテリモジュールＢ３、制御ボックスＨ及びコンバータ回路Ｄを収容しているが、下部ケース１０及び上部ケース２０に収容するモジュールの数及び種類については特に限定されない。また、上記実施形態では２つのケース１０，２０を積み重ねているが、３つ以上のケースを積み重ねることによって蓄電池システムを構成しても構わない。
【符号の説明】
【００４０】
１    蓄電池システム
１０    下部ケース
１１    第１筐体
１１ａ    巻締め部
１２    第１天板
１２ａ    開口部
１３    第１底面
１４    固定金具
２０    上部ケース
２１    第２筐体
２１ａ    巻締め部
２２    第２天板
２３    第２底面
２３ａ    突出部
２３ｂ    折り返し部
２３ｃ    開口部
２３ｄ    突出部
３１〜３６    貫通保護部材
３７    結合管
４１    ヒートシンク
４２    熱分離壁
５０    電線管カバー
５１〜５３    電線管
５４，５５    カバー部材
６０    連結部材
６１    水平部
６２    垂直部
６３，６４    ネジ
６５    防水両面テープ
７１，７２，７１，８１    固定部品
９０    電動工具
１００    成形品
１０１    平板部
１０２    突出部
１０３    防水両面テープ
１１０    クッション部材
１２０    ケーブル
１３０    コネクタ
１４０    成形品
１４１    平板部
１４２    突出部
１５０    成形品
１５１    平板部
１５２    突出部
１５３    防水両面テープ
Ｂ１〜Ｂ３    バッテリモジュール
Ｄ    コンバータ回路
Ｈ    制御ボックス
Ｓ    スペース
【要約】
【課題】複数のケースが積み重ねられた構造を有する改良されたバッテリケースを提供する。
【解決手段】バッテリケースは、下部ケース１０及び上部ケース２０とこれらを連結する連結部材６０とを備える。下部ケース１０及び上部ケース２０を構成する第１筐体１１及び第２筐体２１はいずれも、一枚の長方形板状部材の互いに平行な二辺を付き合わせて固定した構造を有する。連結部材６０は、下部ケース１０の第１天板１２と上部ケース２０の第２底板２３の間に空間が形成されるよう両者を連結する。これにより、第１筐体１１及び第２筐体２１の防水性が高められるとともに、上下方向への機械的強度が高いことから、積み重ねた場合の強度が不足することもない。しかも、下部ケース１０と上部ケース２０の間に空間が形成されるよう連結されることから、下部ケース１０と上部ケース２０の間における熱伝導も生じにくい。
【選択図】図１【図１】
0006981567.tif 000002
【図２】
0006981567.tif 000003
【図３】
0006981567.tif 000004
【図４】
0006981567.tif 000005
【図５Ａ】
0006981567.tif 000006
【図５Ｂ】
0006981567.tif 000007
【図６】
0006981567.tif 000008
【図７】
0006981567.tif 000009
【図８】
0006981567.tif 000010
【図９】
0006981567.tif 000011
【図１０】
0006981567.tif 000012
【図１１】
0006981567.tif 000013
【図１２】
0006981567.tif 000014
【図１３】
0006981567.tif 000015